(57)【要約】  ダイヤフラムポンプは、流体をポンピングするための上下のダイヤフラムポンプ組立体（Ｕ／ＬＤＰＡ）と、その間に配置されるマニホルド組立体とを特徴とする。マニホルド組立体は、供給源から流体を受け取るために二重入口ポート及び入口室を持つ入口を有するマニホルド本体と、二重入口ポートから流体を受け取るために入口ダックビル逆止弁組立体（ＤＣＶＡ）がその中に配置されている入口逆止弁組立体チャンネルと、入口ＤＣＶＡから第１の上下のマニホルド導管を介して流体を受け取ってＵ／ＬＤＰＡから第２の上下のマニホルド導管を介して流体を提供するためにＵ／ＬＤＰＡ流体がその中に配置されているＵ／ＬＤＰＡ用の穴と、Ｕ／ＬＤＰＡから流体を受け取るために出口ＤＣＶＡがその中に配置されている出口逆止弁組立体チャンネルと、Ｕ／ＬＤＰＡから流体を受け取ってポンプから出口源へ流体を供給するために二重出口ポート及び出口室を有する出口と、を含む。【選択図】図５
2017519158.tif 000002
【特許請求の範囲】
【請求項１】
ポンプであって、
前記ポンプを通して流体をポンプ送りするための上下のダイヤフラムポンピング組立体と、
前記上下のダイヤフラムポンピング組立体の間に配置されたマニホルド組立体と、
を備え、
前記マニホルド組立体が、
マニホルド本体と、
出口と、
を備え、
前記マニホルド本体が、
少なくとも１つの流体源から前記流体を受け取るために少なくとも１つの入口ポート及び入口室を有する入口を持つように構成され、
前記少なくとも１つの入口ポートから前記流体を受け取るために入口ダックビル逆止弁組立体が入口逆止弁組立体チャンネルの中に配置されている、前記入口逆止弁組立体チャンネルを持つように構成され、
前記入口ダックビル逆止弁組立体から第１の上下のマニホルド導管を介して前記流体を受け取り且つ前記上下のダイヤフラムポンピング組立体から第２の上下のマニホルド導管を介して前記流体を供給するために、前記上下のダイヤフラムポンピング組立体が上下のダイヤフラムポンピング組立体用の穴の中に配置されている、前記上下のダイヤフラムポンピング組立体用の穴を持つように構成され、
前記上下のダイヤフラムポンピング組立体から前記流体を受け取るために、出口ダックビル逆止弁組立体が出口逆止弁組立体チャンネルの中に配置されている、前記出口逆止弁組立体チャンネルを持つように構成されており、
前記出口が、
前記上下のダイヤフラムポンピング組立体から前記流体を受け取り、前記ポンプから少なくとも１つの出口流体源へ前記流体を供給するために、少なくとも１つの出口ポート及び出口室を有している、
ポンプ。
【請求項２】
前記少なくとも１つの入口ポートが、入口ポートフィッティング継手を受け入れるように構成された二重入口ポートを備え、前記少なくとも１つの出口ポートが、出口ポートフィッティング継手を受け入れるように構成された二重出口ポートを備えている、
請求項１に記載のポンプ。
【請求項３】
前記入口ダックビル逆止弁組立体が、２つのダックビル逆止弁を備え、前記出口ダックビル逆止弁組立体が、２つのダックビル逆止弁を備えている、
請求項１に記載のポンプ。
【請求項４】
前記マニホルド組立体が、前記マニホルド本体の上面及び下面に取り付けられ且つ前記第１及び第２の上下のマニホルド導管を持つように構成された、２つのマニホルド組立体プレートを備えている、
請求項１に記載のポンプ。
【請求項５】
前記マニホルド本体が、プラスチック射出成形の一体型構造体である、
請求項１に記載のポンプ。
【請求項６】
前記二重入口ポートが、相互に直交するように構成されるか又は相互に直交する向きに配置され、また、前記二重出口ポートが、相互に直交するように構成されるか又は相互に直交する向きに配置されている、
請求項２に記載のポンプ。
【請求項７】
前記二重入口ポート及び前記入口室が、前記入口室において混合するために２つの流体源から前記流体を受け取るように構成され、また、前記二重出口ポート及び前記出口室が、混合された流体を前記少なくとも１つの出口流体源へ供給するように構成されている、
請求項２に記載のポンプ。
【請求項８】
前記入口ダックビル逆止弁組立体及び前記出口ダックビル逆止弁組立体が、４ミリメートル（ｍｍ）までの直径を有する粒子媒体を処理するように構成されている、
請求項１に記載のポンプ。
【請求項９】
前記二重入口ポートあるいは前記二重出口ポート、又は、前記二重入口ポート及び前記二重出口ポートの両方が、異なるポートフィッティング継手を受け入れるように構成されている、
請求項２に記載のポンプ。
【請求項１０】
ポンプであって、
前記ポンプを通して流体をポンプ送りするための上下のダイヤフラムポンピング組立体と、
前記上下のダイヤフラムポンピング組立体の間に配置されたマニホルド組立体と、
を備え、
前記マニホルド組立体が、
マニホルド本体と、
出口と、
を備え、
前記マニホルド本体が、
１つ又はそれ以上の流体源から前記流体を受け取るために二重入口ポート及び入口室を有する入口を持つように構成され、
前記二重入口ポートから前記流体を受け取るために入口ダックビル逆止弁組立体が入口逆止弁組立体チャンネルの中に配置されている、前記入口逆止弁組立体チャンネルを持つように構成され、
前記入口ダックビル逆止弁組立体から第１の上下のマニホルド導管を介して前記流体を受け取りかつ前記上下のダイヤフラムポンピング組立体から第２の上下のマニホルド導管を介して前記流体を供給するために、前記上下のダイヤフラムポンピング組立体が上下のダイヤフラムポンピング組立体用の穴の中に配置されている、前記上下のダイヤフラムポンピング組立体用の穴を持つように構成され、
前記上下のダイヤフラムポンピング組立体から前記流体を受け取るために、出口ダックビル逆止弁組立体が出口逆止弁組立体チャンネルの中に配置されている、前記出口逆止弁組立体チャンネルを持つように構成されており、
前記出口が、
前記上下のダイヤフラムポンピング組立体から前記流体を受け取り、前記ポンプから少なくとも１つの出口流体源へ前記流体を供給するために、二重出口ポート及び出口室を有している、
ポンプ。
【請求項１１】
前記二重入口ポートが、入口ポートフィッティング継手を受け入れるように構成され、前記二重出口ポートが、出口ポートフィッティング継手を受け入れるように構成されている、
請求項１０に記載のポンプ。
【請求項１２】
前記入口ダックビル逆止弁組立体が、２つのダックビル逆止弁を備え、前記出口ダックビル逆止弁組立体が、２つのダックビル逆止弁を備えている、
請求項１０に記載のポンプ。
【請求項１３】
前記マニホルド組立体が、前記マニホルド本体の上面及び下面に取り付けられ且つ前記第１及び第２の上下のマニホルド導管を持つように構成された、２つのマニホルド組立体プレートを備えている、
請求項１０に記載のポンプ。
【請求項１４】
前記マニホルド本体が、プラスチック射出成形の一体型構造体である、
請求項１０に記載のポンプ。
【請求項１５】
前記二重入口ポートが、相互に直交するように構成されるか又は相互に直交する向きに配置され、また、前記二重出口ポートが、相互に直交するように構成されるか又は相互に直交する向きに配置されている、
請求項１０に記載のポンプ。
【請求項１６】
前記二重入口ポート及び前記入口室が、前記入口室において混合するために２つの流体源から前記流体を受け取るように構成され、また、前記二重出口ポート及び前記出口室が、混合された流体を１つ又はそれ以上の出口流体源へ供給するように構成されている、
請求項１０に記載のポンプ。
【請求項１７】
前記入口ダックビル逆止弁組立体及び前記出口ダックビル逆止弁組立体が、４ミリメートル（ｍｍ）までの直径を有する粒子媒体を処理するように構成されている、
請求項１０に記載のポンプ。
【請求項１８】
前記二重入口ポートあるいは前記二重出口ポート、又は、前記二重入口ポート及び前記二重出口ポートの両方が、異なるポートフィッティング継手を受け入れるように構成されている、
請求項１０に記載のポンプ。
【発明の詳細な説明】
【技術分野】
【０００１】
〔関連出願の相互参照〕
本出願は、２０１４年６月１６日に提出された特許文献１の利益を主張し、参照によりその全体が本明細書に援用される。
【０００２】
本発明は、流体及び微粒子を供給するためのポンプに関連し、特に固体及び微粒子を含む粘性流体をポンピングするためのマニホルド組立体を有するダイヤフラムポンプに関連する。
【背景技術】
【０００３】
図１は、技術上既知のばね式の弁又は「アンブレラ」弁を備えるポンプマニホルドを有するダイヤフラムポンプを示す。図１において、ばねは、上下のアンブレラ弁の間に配置される。固定配線を有するポンプも技術上知られている。既知のダイヤフラムポンプ構成体の欠点は、以下の１つ又はそれ以上を含む。すなわち、
ａ．弁の形式−ばね式のアンブレラ型弁は、低粘度の「ごみを含まない（debris-free）」流体をポンピングすることに限定される。高粘度の及び／又は微粒子を含む流体は、このような形式の弁に、呼び水（priming）及び性能の問題を生じる。
ｉ．アンブレラ型弁−図１に示すように、これらのアンブレラ型弁は、典型的に、流体中の微粒子のせいで容易に詰まる。アンブレラ型弁が詰まったとき／滞ったとき、弁は適切なシールができず、これによって、ポンプが呼び水を入れて圧力を構築するのを妨げる。
ｉｉ．ばね式の弁−図１に示すように、ポンプ送りされる液体の中の固体は、典型的には、ばね機構に絡まって、弁が開閉するのを妨げる。
ｂ．固定配線を有するポンプは、整備のためのクイックコネクト／ディスコネクトに対して融通性を持たない。典型的なポンプは、モーターから延びる固定配線を有する。使用者がコネクタを必要とする場合には、この配線にコネクタを取り付けなければならない。
ｃ．現在の市販のほとんどのポンプは、通常、ポンプヘッドの左右からの１つの入口ポート及び１つの排出ポートを有する。従って、入口／出口フィッティングを接続する方法は、１つに限定される。
【先行技術文献】
【特許文献】
【０００４】
【特許文献１】米国仮特許出願第６２／０１２５２６号
【特許文献２】米国特許第８２７６６１６号
【特許文献３】米国特許第８６９０５５４号
【発明の概要】
【発明が解決しようとする課題】
【０００５】
以上のことから、業界においては、技術上知られるポンプの上記の欠点を解決するポンプが必要とされる。
【課題を解決するための手段】
【０００６】
いくつかの実施形態によれば、本発明は、上下のダイヤフラムポンピング組立体とマニホルド組立体の新規かつ特有の組み合わせを特徴とするポンプを含むことができ、又は、このようなポンプの形態をとることができる。
【０００７】
上下のダイヤフラムポンピング組立体は、ポンプを通して流体をポンプ送りするように構成できる。
【０００８】
マニホルド組立体は、上と下のダイヤフラムポンピング組立体の間に構成又は配置できる。
【０００９】
マニホルド組立体は、マニホルド本体、入口逆止弁組立体チャンネル、上下のダイヤフラムポンピング組立体用の穴、出口逆止弁組立体チャンネル及び出口、を含むか、又はこれらを組み合わせて構成できる。
【００１０】
マニホルド本体は、少なくとも１つの流体源から流体を受け取るために、少なくとも１つの入口ポート及び入口室を有する入口を持つように構成できる。
【００１１】
入口逆止弁組立体チャンネルは、少なくとも１つの入り口ポートから流体を受け取るために、チャンネルの中に配置された入口ダックビル逆止弁組立体を含むことができる。
【００１２】
上下のダイヤフラムポンピング組立体用の穴は、組立体用の穴の中に配置された上下のダイヤフラムポンピング組立体を含むことができ、流体を、入り口ダックビル逆止弁組立体から第１の上下のマニホルド導管を介して受け取って、上下のダイヤフラムポンピング組立体から第２の上下のマニホルド導管を介して供給する。
【００１３】
出口逆止弁組立体チャンネルは、上下のダイヤフラムポンピング組立体から流体を受け入れるためにチャンネルの中に配置された出口ダックビル逆止弁組立体を含むことができる。
【００１４】
出口は、上下のダイヤフラムポンピング組立体から流体を受け入れて、ポンプから少なくとも１つの出口流体源へ流体を供給するために、少なくとも１つの出口ポート及び出口室を含むことができる。
【００１５】
本発明は、下記の特徴の１つ又はそれ以上の特徴を含むことができる。
【００１６】
少なくとも１つの入口ポートは、入口ポートフィッティング継手を受け入れるように構成された二重入口ポートを含むことができ、少なくとも１つの出口ポートは、出口ポートフィッティング継手を受け入れるように構成された二重出口ポートを含むことができる。
【００１７】
入口ダックビル逆止弁組立体は、２つのダックビル逆止弁を含むことができ、出口ダックビル逆止弁組立体は、２つのダックビル逆止弁を備える。
【００１８】
マニホルド組立体は、マニホルド本体の上下の面に取り付けられかつ入口逆止弁組立体チャンネルから出口逆止弁組立体チャンネルへ流体を供給するために、第１及び第２の上下のマニホルド導管を持つよう構成された２つのマニホルド組立体カバー又はプレートを含むことができる。
【００１９】
マニホルド本体は、プラスチックの射出成形一体型構造体を含む、又はその形式を取ることができる。
【００２０】
二重入口ポートは、相互に直交するように構成する又は相互に直交する向きに配置でき、二重出口ポートは、相互に直交するように構成する又は相互に直交する向きに配置できる。
【００２１】
二重入口ポート及び入口室は、入口室において混合するために、２つの流体源から流体を受け入れるように構成でき、二重出口ポート及び出口室は、少なくとも１つの出口流体源は２つの出口流体源を含む場合を含めて、混合流体を少なくとも１つの出口流体源へ供給するように構成できる。
【００２２】
入口ダックビル逆止弁組立体及び出口ダックビル逆止弁組立体は、４ミリメートル（ｍｍ）までの直径を有する粒子媒体を処理するように構成できる。
【００２３】
二重入口ポートあるいは二重出口ポート、又は二重入口ポート及び二重出口ポートの両方は、異なるポートフィッティング継手を受け入れるように構成することができ、この異なるポートフィッティング継手が、それぞれのポートへあるいはそれぞれのポートから流体が通過できるようにするポートフィッティング継手と、これに対応する、それぞれのポートへあるいはそれぞれのポートから流体が通過できないようにするポートフィッティング継手と、を有する場合を含むように、構成することができる。
【００２４】
本発明の利点は、下記の１つ又はそれ以上を含むことができる。すなわち、
ａ．高粘度の流体をポンプ送りすることができる
ｂ．ポンプ送りされる流体の中の固体及び微粒子を処理できる
ｃ．強化されたダックビルは、より高い背圧を生じる作動時に逆止弁が崩壊するのを防止する
ｄ．整備のためのクイックコネクト／ディスコネクトのための柔軟性のある配線選択でき、より容易な設置、整備及び全体的保守を可能にする
ｅ．マルチポートのポンプハウジング又は組立体は、ポートフィッティング継手及び供給／混合の柔軟性を与える。
【００２５】
事実、本発明に係る上述のダイヤフラムポンピング組立体及びマニホルド組立体を有するポンプは、図１に示す先行技術のポンプを悩ましてきた問題を解決し、技術の現状に大いに貢献する。
【００２６】
以下の図面は必ずしも縮尺通りではない。
【図面の簡単な説明】
【００２７】
【図１】技術上既知のポンプの前方から後方への断面図である。
【図２】本発明のいくつかの実施形態に従った、単一入口及び出口を有するポンプの斜視図である。
【図２Ａ】本発明のいくつかの実施形態に従った、線及び矢印２Ａ−２Ａに沿って見た図２のポンプの下半分の断面図である。
【図３】本発明のいくつかの実施形態に従った、図２のポンプの上面図である。
【図４】本発明のいくつかの実施形態に従った、図２のポンプの側面図である。
【図４Ａ】本発明のいくつかの実施形態に従った、線及び矢印４Ａ−４Ａに沿って見た図２のポンプの左側の断面図である。
【図５】本発明のいくつかの実施形態に従った、線及び矢印５−５に沿って見た図２のポンプの前方から後方への断面図である。
【図６】本発明のいくつかの実施形態に従った、入口ポート及び出口ポートを含むマルチポートを有するポンプハウジングの上方斜視図である。
【図７】本発明の他の実施形態に従った、入口ポート及び出口ポートを含むマルチポートを有するポンプハウジングの上方斜視図である。
【図７Ａ】本発明の他の実施形態に従った、ポンプの長手軸を横切って左右方向に延びる入口／出口ポートフィッティング継手を持つように構成された、図７のポンプハウジングを有するポンプ組立体を備えるポンプの一部の、上方斜視図である。
【図７Ｂ】本発明の他の実施形態に従った、ポンプの長手軸に沿って前方へ延びる入口／出口ポートフィッティング継手を持つように構成された、図７のポンプハウジングを有するポンプ組立体を備えるポンプの一部の上方斜視図である。
【図７Ｃ】本発明の他の実施形態に従った、左右方向に延びる入口／出口ポートフィッティング継手及び左右方向及び前方へ延びる二重出口ポートのフィッティング継手を持つように構成された、図７のポンプハウジングを有するポンプ組立体を備えるポンプの一部の上方斜視図である。
【図８】本発明のいくつかの実施形態に従った、線及び矢印８−８に沿って見た図２のポンプの前方から後方への断面図である。
【図９Ａ】本発明のいくつかの実施形態に従った、図９Ｂと同様のポンプ配置又はポンプ構成を作動させるための制御機能を実施するステップを含むフローチャートである。
【図９Ｂ】本発明のいくつかの実施形態に従った、印刷回路基板組立体（ＰＣＢＡ）を介して圧力スイッチ、オンオフスイッチ、及びポンプを作動するためのインプットを受け取るためのコネクタ、に結合されたモーターを有するポンプ配置又はポンプ構成の一部を示す。
【発明を実施するための形態】
【００２８】
図２〜８−二重ダイヤフラム及びマニホルド組立体
図２〜８は、本発明のいくつかの実施形態に従った、全体を１０で示す二重ダイヤフラムポンプを示す。図１〜５は、単一入口／出口構成を有する、全体を１０で示す二重ダイヤフラムポンプを示す。これに対して、図６〜８は、複数入口／出口構成を有する二重ダイヤフラムポンプの構成を示す。いずれの事例においても、二重ダイヤフラムポンプは、マルチパートのポンプハウジングを有するように構成することができ、例えばモーターハウジング１１ａ及び取外し可能な前部カバー１１ｂを有するように構成することができ、ポンプスタンド又は台１１ｃも含むことができる。図２Ａは、マルチパートのポンプハウジングに配置されたモーター１３及びモーターシャフト／ダイヤフラムアクチュエータ組立体１５を示し、下で説明するように協働する全体を１２、１４で示す上下のダイヤフラムポンピング組立体に結合される（図７Ａ、７Ｂ及び７Ｃ）。図７Ａ、７Ｂ及び７Ｃは、ポンプ送りされる流体の圧力を感知して感知された圧力に関する情報を含む適切な圧力感知信号を与える圧力センサ又はスイッチモジュール５０（図９Ｂ）を持つように構成された二重ダイヤフラムポンプを示す。圧力センサ及び／又はスイッチは、技術上知られており、本発明の範囲は、現在知られている又は将来開発されるセンサ又はスイッチの特定のタイプ又は種類に限定されるものではない。図７Ａ、７Ｂ及び７Ｃにおいて、マルチポートマニホルド組立体の構成体を被覆するための前部ポンプハウジング、例えば図１〜５の要素１１ｂに類似するものは、図示しない。本発明の範囲は、例えば構成、組合せ又は組立体における別個の部品の数を含めてマルチパートのハウジングをどのように構成するか、組み合わせるか、又は組み立てるか、などに限定されるものではない。
【００２９】
更に、図２〜４Ａ及び８は、二重ダイヤフラムポンプが、例えば壁取付け変圧器（図示せず）からを含めてポンプへ電力を供給するための対応するコネクタに結合するためのクイックコネクタ６０（図９Ｂ）を持つようにも構成できる。ポンプ配線に構成されるクイックコネクタ６０は、使用者が必要とするコネクタを指定できるようにし、そのシステムからの配線は、ポンプに直接結合するための適切な対応するコネクタ及びプラグを持つように構成される。このクイックコネクタ構成体６０は、整備のためにポンプを電源から迅速かつ容易に外せるようにする。柔軟な配線の選択肢は、信号出入力装置及びパワーインプットの遠隔設置も可能にするようにも構成できる。
【００３０】
マニホルド組立体２０、２０’
ダイヤフラムポンプは、例えば図６及び７に示す要素２０、２０’のようなマニホルド組立体を含むことができる。
【００３１】
実施例として、図７は、内部ダックビル弁３０、３２、４０、４２を塞いだり詰まらせたりすることなくポンプ送りされる液体中の固体及び微粒子を通過させることができるようにする内部入力及び出力ダックビル弁３０、３２、４０、４２を備える、マニホルド組立体２０を示す。内部ダックビル弁３０、３２、４０、４２を組み込むことによって、ダイヤフラムポンプ１０は、特に図１に示す先行技術のポンプと比較したとき、より小さい制約でより高い粘度の流体を処理できるようにし、かつ直径４ミリメートル（ｍｍ）までのサイズのより大きな粒子媒体を通過させることができる。内部入力及び出力ダックビル弁３０、３２、４０、４２は、例えば特許文献２及び特許文献３（本出願の譲受人に譲渡され、参照によりその全体が本明細書に援用される）に開示されるように、作動時により高い背圧を生じる用途において又はポンプが動いていないときそれぞれの弁が崩壊するのを防止するために、内部支持で強化できる。
【００３２】
ダイヤフラムポンプは、例えば図４Ａ及び５に示すように、マニホルド組立体２０と組み合わせて、全体を１２、１４で示す上下のダイヤフラムポンピング組立体を含むことができる。実施例として、上下のダイヤフラムポンピング組立体１２、１４は、上下のダイヤフラム１２ａ、１４ａと図示するようにそれぞれマニホルド組立体２０に締結される上下のダイヤフラム組立体カバー又はプレート１２ｂ、１４ｂとを持つように構成できる。図７Ａ、７Ｂ及び７Ｃの要素ｆ１のような５つのファスナー／ねじ及び図７においてマニホルド組立体２０の中に構成又は形成された要素Ｏ１のような対応する５つのファスナー用開口部を参照。また、上ダイヤフラムポンピング組立体１２を示す図７Ａ、７Ｂ及び７Ｃも参照。
【００３３】
作動時に、上下のダイヤフラムポンピング組立体１２、１４は、二重ダイヤフラムポンプ１０を通して流体をポンプ送りするように構成することができる。実施例として、上ダイヤフラムポンピング組立体１２は、例えば図５に示すように、流体を、マニホルド組立体２０への入口室２０ａから、上入力ダックビル弁３０を通り、上出力ダックビル弁４０を通り、出口室２０ｂへ、そして、マニホルド組立体２０から、流すように構成することができ、下ダイヤフラムポンピング組立体１４は、流体を、マニホルド組立体２０への入口室２０ａから、下入力ダックビル弁を通し、下出力ダックビル弁４２を通し、出口室２０ｂへ、そしてマニホルド組立体２０から、流すように構成することができる。
【００３４】
マニホルド組立体２０は、上下のダイヤフラムポンピング組立体１２、１４の間に構成又は配置でき、下記のように作動するように構成された構成要素を有する。
【００３５】
図５及び７から分かるように、入口室２０ａ及び出口室２０ｂの他に、マニホルド組立体２０は、ワンピース一体型マニホルド本体２０ｃと、上ダイヤフラムポンピング組立体用の穴を有する入口逆止弁組立体チャンネル２０ｄ（このような入口用の穴の１つを２０ｄ（１）で示す）と、上下のダイヤフラムポンピング組立体用の穴を有する出口逆止弁組立体チャンネル２０ｅ（このような出口用の穴の１つを２０ｅ（１）で示す）と、を含むか又はこれらの組み合わせを持つように構成することができる。
【００３６】
入口２０ａは、少なくとも１つの流体源（図示せず）から流体を受け取るために、全体を２０ａ（１）、２０ａ（２）で示す二重入口ポートを持つように構成できる。二重入口ポート２０ａ（１）、２０ｂ（２）は、入口フィッティング２０ａ（７）、２０ａ（８）をマニホルド組立体２０の二重入口ポート２０ａ（１）、２０ａ（２）に結合する入口フィッティングカプラー２０ａ（５）、２０ａ（６）を滑動可能に受け入れるために、入口ポート溝２０ａ（３）、２０ａ（４）を持つように構成できる。
【００３７】
入口逆止弁組立体チャンネル２０ｄは、その中に配置される、入口ダックビル逆止弁３０、３２並びに弁収容部材３０（１）、３２（１）のような１つ又はそれ以上のその他の入口ダックビル逆止弁構成要素を含む入口ダックビル逆止弁組立体、及び例えば特許文献２及び特許文献３に開示されるように、作動時により高い背圧を生じる用途において又はポンプが動いていないときに弁が崩壊するのを防止する内部支持（図示せず）を含む入口ダックビル逆止弁組立体を含むことができる。
【００３８】
実施例として、マニホルド本体２０ｃは、プラスチック射出成形の一体型構造体を含む又はその形式を取れるが、実施形態は基礎となる発明の主旨の範囲内にある既知の及び将来開発される他の構造又は構成体を用いることが想定される。
【００３９】
図５は、二重ダイヤフラムポンプを通る流体の流路を示し、この流体の流路は、入口２０ａの中へ流れる流体の流路ＦＰinへの入力部分と、入口逆止弁組立体チャンネル２０ｄを通り、上下のダイヤフラムポンピング組立体１２、１４を通り、出口逆止弁組立体チャンネル２０ｅを通る流体のための、内部部品と、出口２０ｂから流れる流体のための出力流路ＦＰoutと、を含み、例えば、以下で説明される。
【００４０】
上ダイヤフラムポンピング組立体入口用の穴２０ｄ（１）は、入口ダックビル逆止弁３０並びに弁収容部材３０（１）のような１つ又はそれ以上の入口ダックビル逆止弁組立体構成要素から流体を受け取りかつ参照番号１２ｂ’、１２ｂ”、１２ｂ”’によって示す上マニホルド導管を介して流体を上ダイヤフラムポンピング組立体用の穴２０ｅ（１）へ供給（すなわちポンプ送り）するために、入口用の穴の中に配置される要素１２のような上ダイヤフラムポンピング組立体と流体流通するように構成できる。作動時に、当業者には分かるように、モーターシャフト／ダイヤフラムアクチュエータ組立体１５は、ダイヤフラム１２ａと一緒に、液体を、上マニホルド導管１２ｂ’から上マニホルド導管１２ｂ”を通して上マニホルド導管１２”’へ供給するように、構成することができる。上ダイヤフラムポンピング組立体出口用の穴２０ｅ（１）は、出口ダックビル逆止弁４０並びに弁収容部材４０（１）のような１つ又はそれ以上のその他の出口ダックビル逆止弁組立体構成要素へ流体を供給するために出口逆止弁組立体チャンネル２０ｅと流体流通して、出口２０ｂへ流体を供給（すなわちポンプ送り）するように構成できる。
【００４１】
当業者には分かるように、下ダイヤフラムポンピング組立体１４は、上ダイヤフラムポンピング組立体１２と同様に作動するように構成される。
【００４２】
出口２０ｂは、ポンプ１０から少なくとも１つの出口流体源（図示せず）へ流体を供給するために、全体を２０ｂ（１）、２０ｂ（２）で示す二重出口ポートを持つように構成できる。二重出口ポート２０ｂ（１）、２０ｂ（２）は、出口フィッティング２０ｂ（７）、２０ｂ（８）をマニホルド組立体の二重出口ポート２０ｂ（１）、２０ｂ（２）に結合する出口フィッティングカプラー２０ｂ（５）２０ｂ（６）を滑動可能に受け入れるために出口ポート溝２０ｂ（３）、２０ｂ（４）を持つように構成できる。
【００４３】
図７、７Ａ、７Ｂ及び７Ｃ
図７、７Ａ、７Ｂ及び７Ｃは、多方向ポート構成体を示す。事実上、本発明は、特定の狭い固定的空間において柔軟性を与える多様な入口／出口ポート接続を可能にする。実施例として、二重入口ポートを持つことによって、２つの異なる流体の混合も可能にでき、二重排出口ポートは２つの供給弁／蛇口を可能にする。
【００４４】
図示するように、二重入口ポート２０ａ（１）、２０ａ（２）は、相互に直交するように構成する又は相互に直交する向きに配置でき、二重出口ポート２０ｂ（１）、２０ｂ（２）は、相互に直交するように構成する又は相互に直交する向きに配置できるが、二重入口ポート、二重出口ポート又はその両方の間の他の形式の幾何学的関係が想定される。
【００４５】
二重入口ポート２０ａ（１）、２０ａ（２）及び入口室２０ａは、入口室２０ａにおいて混合するために２つの流体源（図示せず）から流体を受け取るように構成できる。二重出口ポート２０ｂ（１）、２０ｂ（２）及び出口室２０ｂは、混合された流体を少なくとも１つの出口流体源（図示せず）へ供給するように構成される。
【００４６】
入口ダックビル逆止弁組立体２０ｄ及び出口ダックビル逆止弁組立体２０ｅは、４ミリメートル（ｍｍ）までの直径を有する粒子媒体を処理するように構成できる。
【００４７】
二重入口ポート２０ａ（１）、２０ａ（２）あるいは二重出口ポート２０ｂ（１）、２０ｂ（２）、又は二重入口ポート２０ａ（１）、２０ａ（２）及び二重出口ポート２０ｂ（１）、２０ｂ（２）の両方は、異なるポートフィッティング継手を受け入れるように構成できる。
【００４８】
図７Ａ、７Ｂ及び７Ｃにおいて、図示するポンプの部分は、例えば、図２の要素１１ｂに類似する前部ポンプハウジングを含まない。当業者は、過度の実験なしに、例えば本明細書において開示するものに基づいて、このような前部ポンプハウジングをどのように構成するかが分かるだろう。
【００４９】
図６は、マニホルド組立体２０’の別の実施形態を示す。その部品及び構成要素には、図７のマニホルド組立体２０の部品及び構成要素と同様の参照番号に一重引用符（  ’）を加えて当てる。マニホルド組立体２０’は、マニホルド組立体２０（図７）と実質的に同様に作動するように構成される。
【００５０】
図９Ａ及び９Ｂ−コントローラ
図９Ａは、例えば本明細書において示すような図９Ｂに示す構成要素の組み合わせを有するポンプを作動するために本発明に従って制御機能を実施するための、ステップ１００ａ〜１００ｋを含む全体が１００で示されるフローチャートを示す。
【００５１】
コントローラ５２−電子コントローラは、電子ＰＣＢＡ５２（例えば、図９Ｂに示すようにポンプの内蔵とすることができる）を含む又はその形式を取ることができる。  
ｉ．ステップ１００ａ及び１００ｂ−動力は、オンオフスイッチをオンにできるように、最終使用者の電源を介して又は壁取付け変圧器（図示せず）からポンプへの直接動力供給を可能にする電源ジャック又は一体型コネクタ６０を介してポンプへ与えられる。
ｉｉ．ステップ１００ｃ及び１００ｄ−制御回路５２は、モーター１３へ動力を与え、呼び水のために予め設計された時間を見込む。ポンプがこの時間を超え、かつ低電流／無電流状態である場合、制御回路５２は電源をオフにする。制御回路５２は、その後、ポンプが枯渇／無動力状態のため運転停止したことを示す信号を送る。実施例として、信号は、聴覚又は視覚的アラーム並びインターネットを介して遠隔（例えばオフサイト）アクセスポイントへ伝送されるｗｉｆｉ（登録商標）信号を含めて遠隔場所へ与えられる無線信号の形式を取ることができる。
ｉｉｉ．ステップ１００ｄ、１００ｅ、１００ｆ−ポンプが呼び水を入れて、運転している場合、制御回路５２は、ポンプの電流を監視し、ポンプ送りされる流体が枯渇したかあるいはその他の問題によってポンプユニットの電流が設計電流範囲より下に低下した場合、制御回路５２は、モーター１３への動力を除去する。制御回路５２は、その後、枯渇／無動力状態のため又は製品供給外状態であるためポンプが運転停止したことを示す信号を送る。
ｉｖ．ステップ１００ｈ、１００ｉ、１００ｊ−ポンプの電流が高くなった場合、例えば予設計範囲を上回った場合、制御回路５２は、モーター１３に対する動力を除去して、その後、過電流状態のためにポンプが運転停止したことを示す信号を送る。
ｖ．別の実施例として、例えば出口（図示せず）が遮断されたために回路基板５２に対する動力を圧力スイッチ５０によって除去しなければならない場合、制御回路５２は、圧力が軽減されるまでポンプから動力を除去するように構成でき、圧力が軽減された時点で、制御回路５２はポンプを自動的にオンに戻して、流体を供給するように構成できる。
ｖｉ．別の実施例として、ポンプが指定される時間連続的に運転された場合、制御基板５２は、モーターから動力を除去して、連続運転又はタイムアウト状態のせいでポンプが運転停止したことを示す信号を送る。
ｖｉｉ．別の実施例として、制御回路５２は、例えば時間を制御し及び／又はパルス波変調（ＰＷＭ）技術又は技術上既知の又は将来開発される技法を含めてその他のモーター速度制御方法を用いてモーター１３へ加えられる電圧を変動させることによって、供給量及び流量を精密に制御するようにも構成できる。
ｖｉｉｉ．別の実施例として、制御回路５２は、ポンプ作動パラメータ／設定、様々な流体及び媒体に関するポンプ性能プロフィル、エラーコード、流量及び供給量情報、電力消費量などを記憶し、通信し、及び／又は遠隔調節するためにも使用できる。
【００５２】
可能な応用
食品及び飲料供給／処理、流体及び化学物質移転及び混合、高粘度の液体、微粒子及び／又は固体を移動する必要のある任意の用途。
【００５３】
本発明の範囲
更に、図示し本明細書において説明する実施形態は、単なる実施例であり、本発明の範囲は、本明細書に含まれる部品又は要素の特定の構成、次元性及び／又は設計の細部に限定されるものではない。言い換えると、当業者は、これらの実施形態に設計変更を加えることができ、その結果の実施形態が本明細書において開示される実施形態と異なっても、これは、本発明の全体的主旨の範囲内にあることが分かるはずである。
【００５４】
特に指示しない限り、本明細書の特定の実施形態に関して説明する特徴、特性、実施案又は修正のいずれも、本明細書において説明する他の任意の実施形態に応用、使用又はこれと合体できることが分かるはずである。また、図面は縮尺通りではない。
【００５５】
本発明についてその好ましい実施形態に関して説明し、図解するが、以上の及び様々なその他の追加及び省略を、本発明の主旨及び範囲から逸脱することなく、これらの実施形態に加えることができる。
【図１】
2017519158.tif 000003
【図２】
2017519158.tif 000004
【図２Ａ】
2017519158.tif 000005
【図３】
2017519158.tif 000006
【図４】
2017519158.tif 000007
【図４Ａ】
2017519158.tif 000008
【図５】
2017519158.tif 000009
【図６】
2017519158.tif 000010
【図７】
2017519158.tif 000011
【図７Ａ】
2017519158.tif 000012
【図７Ｂ】
2017519158.tif 000013
【図７Ｃ】
2017519158.tif 000014
【図８】
2017519158.tif 000015
【図９Ａ】
2017519158.tif 000016
【図９Ｂ】
2017519158.tif 000017
【国際調査報告】
2017519158.tif 000018